【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
複数のグループに分類されて複数種類の情報が記録される記録媒体を有するナビゲーション装置であって、
ナビゲーションの読み書きされる頻度の高い情報を前記記録媒体の第１の優先情報記録領域に、前記第１の優先情報記録領域に記録される情報とは種類が異なり、かつ読み書きされる頻度の高い情報を前記記録媒体の第２の優先情報記録領域にそれぞれ記録するように制御する制御手段を有することを特徴とするナビゲーション装置。
【請求項２】
前記記録媒体に情報を記録または再生する記録再生手段を有し、
前記第１および第２の優先情報記録領域は前記記録再生手段の初期位置からの移動量が少ない領域であることを特徴とする請求項１記載のナビゲーション装置。
【請求項３】
前記記録媒体は、前記第１の優先情報記録領域の両側に前記第２の優先情報記録領域を有することを特徴とする請求項１または２記載のナビゲーション装置。
【請求項４】
前記第２の優先情報記録領域に記録する情報は指定可能であることを特徴とする請求項１〜３のいずれか１つに記載のナビゲーション装置。
【請求項５】
前記第１の優先情報記録領域に記録される情報は利用者を目的地まで案内するナビゲーション装置の自宅付近または利用者の現在位置の情報または電源オン時の使用頻度が高い情報の少なくとも１つであることを特徴とする請求項１〜４のいずれか１つに記載のナビゲーション装置。
【手続補正２】
【補正対象書類名】明細書
【補正対象項目名】発明の名称
【補正方法】変更
【補正の内容】
【発明の名称】ナビゲーション装置
【手続補正３】
【補正対象書類名】明細書
【補正対象項目名】０００１
【補正方法】変更
【補正の内容】
【０００１】
本発明は、情報を記録および／または再生するナビゲーション装置に関する。
【手続補正４】
【補正対象書類名】明細書
【補正対象項目名】０００７
【補正方法】変更
【補正の内容】
【０００７】
本発明の目的は、複数のグループに分類される情報を記録再生するために要する時間を短縮することができるナビゲーション装置を提供することである。
【手続補正５】
【補正対象書類名】明細書
【補正対象項目名】０００８
【補正方法】変更
【補正の内容】
【０００８】
本発明は、複数のグループに分類されて複数種類の情報が記録される記録媒体を有するナビゲーション装置であって、
ナビゲーションの読み書きされる頻度の高い情報を前記記録媒体の第１の優先情報記録領域に、前記第１の優先情報記録領域に記録される情報とは種類が異なり、かつ読み書きされる頻度の高い情報を前記記録媒体の第２の優先情報記録領域にそれぞれ記録するように制御する制御手段を有することを特徴とするナビゲーション装置である。
【手続補正６】
【補正対象書類名】明細書
【補正対象項目名】０００９
【補正方法】変更
【補正の内容】
【０００９】
本発明に従えば、ナビゲーションの読み書きされる頻度の高い情報を前記記録媒体の第１の優先情報記録領域に、前記第１の優先情報記録領域に記録される情報とは種類が異なり、かつ読み書きされる頻度の高い情報を前記記録媒体の第２の優先情報記録領域にそれぞれ記録するように制御するので、情報を記録再生するために要する時間を短縮することができる。
【手続補正７】
【補正対象書類名】明細書
【補正対象項目名】００１０
【補正方法】変更
【補正の内容】
【００１０】
また本発明は、前記記録媒体に情報を記録または再生する記録再生手段を有し、
前記第１および第２の優先情報記録領域は前記記録再生手段の初期位置からの移動量が少ない領域であることを特徴とする。
【手続補正８】
【補正対象書類名】明細書
【補正対象項目名】００１１
【補正方法】変更
【補正の内容】
【００１１】
本発明に従えば、記録再生手段の動作量を小さく抑えることが可能になり、記録再生に要する時間の短縮が可能になる。
【手続補正９】
【補正対象書類名】明細書
【補正対象項目名】００１２
【補正方法】変更
【補正の内容】
【００１２】
また本発明は、前記記録媒体は、前記第１の優先情報記録領域の両側に前記第２の優先情報記録領域を有することを特徴とする。
【手続補正１０】
【補正対象書類名】明細書
【補正対象項目名】００１３
【補正方法】変更
【補正の内容】
【００１３】
本発明に従えば、第１の優先情報領域と第２の優先情報領域とを単に並べて配置する場合に比べて、第１の優先情報領域および第２の優先情報領域に対して情報を記録再生するときの記録再生手段の平均動作量を、約３分の２に低減することができる。したがって第１の優先情報領域および第２の優先情報領域を単に並べて配置する場合に比べて、第１の優先情報領域および第２の優先情報領域に対して情報を記録再生するために要する時間を約３分の２に低減することができる。
【手続補正１１】
【補正対象書類名】明細書
【補正対象項目名】００１４
【補正方法】変更
【補正の内容】
【００１４】
また本発明は、前記第２の優先情報記録領域に記録する情報は指定可能であることを特徴とする。
【手続補正１２】
【補正対象書類名】明細書
【補正対象項目名】００１５
【補正方法】変更
【補正の内容】
【００１５】
本発明に従えば、第２の優先情報記録領域に記録する情報を指定しておくことによって、記録再生の頻度が高いと想定される情報と、第１の優先情報記録領域に記録される情報とを記録再生する場合の記録再生手段の動作量を小さくすることができ、記録再生に要する時間を短縮することができる。
【手続補正１３】
【補正対象書類名】明細書
【補正対象項目名】００１６
【補正方法】変更
【補正の内容】
【００１６】
また本発明は、前記第１の優先情報記録領域に記録される情報は利用者を目的地まで案内するナビゲーション装置の自宅付近または利用者の現在位置の情報または電源オン時の使用頻度が高い情報の少なくとも１つであることを特徴とする。
【手続補正１４】
【補正対象書類名】明細書
【補正対象項目名】００１７
【補正方法】変更
【補正の内容】
【００１７】
本発明に従えば、第１の優先情報記録領域に記録される情報は利用者を目的地まで案内するナビゲーション装置の自宅付近または利用者の現在位置の情報または電源オン時の使用頻度が高い情報の少なくとも１つであることが好ましい。
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３８
【補正方法】変更
【補正の内容】
【００３８】
本発明によれば、情報を記録再生するために要する時間を短縮することができる。
【手続補正３０】
【補正対象書類名】明細書
【補正対象項目名】００３９
【補正方法】変更
【補正の内容】
【００３９】
また本発明によれば、記録再生手段の動作量を小さく抑えることが可能になり、記録再生に要する時間の短縮が可能になる。
【手続補正３１】
【補正対象書類名】明細書
【補正対象項目名】００４０
【補正方法】変更
【補正の内容】
【００４０】
また本発明によれば、第１の優先情報領域と第２の優先情報領域とを単に並べて配置する場合に比べて、情報を記録再生するために要する時間を約３分の２に低減することができ、記録再生に要する時間の短縮が可能になる。
【手続補正３２】
【補正対象書類名】明細書
【補正対象項目名】００４１
【補正方法】変更
【補正の内容】
【００４１】
また本発明によれば、記録再生される頻度が高いと想定される種類の情報を、優先情報によって指定しておくことによって、記録再生に要する時間を短縮することができる。
【手続補正３３】
【補正対象書類名】明細書
【補正対象項目名】００４２
【補正方法】変更
【補正の内容】
【００４２】
また本発明によれば、第１の優先情報記録領域に記録される情報は利用者を目的地まで案内するナビゲーション装置の自宅付近または利用者の現在位置の情報または電源オン時の使用頻度が高い情報の少なくとも１つであることによって、記録再生に要する時間を短縮することができる。
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４５
【補正方法】削除
【補正の内容】
【手続補正３７】
【補正対象書類名】明細書
【補正対象項目名】００４６
【補正方法】削除
【補正の内容】
【手続補正３８】
【補正対象書類名】明細書
【補正対象項目名】００４７
【補正方法】削除
【補正の内容】
【手続補正３９】
【補正対象書類名】明細書
【補正対象項目名】００４８
【補正方法】削除
【補正の内容】
【手続補正４０】
【補正対象書類名】明細書
【補正対象項目名】００４９
【補正方法】削除
【補正の内容】
【手続補正４１】
【補正対象書類名】明細書
【補正対象項目名】００５０
【補正方法】削除
【補正の内容】
【手続補正４２】
【補正対象書類名】明細書
【補正対象項目名】００５１
【補正方法】削除
【補正の内容】
【手続補正４３】
【補正対象書類名】明細書
【補正対象項目名】００５２
【補正方法】削除
【補正の内容】